(57)【要約】【課題】電子機器の摺動する操作部材等に蓄えられる静電気を、確実に逃がすことができる静電対策構造を提供する。【解決手段】摺動する操作部材１０の摺動停止両端位置でクリックするクリックバー１３を備えた電子機器において、クリックバー１３を導電性部材とすると共に、導電性ケーシング板金５０にクリックバー１３が係止する係止部５１、５２を設け、クリックバー１３にケーシング板金５０と常時接触する半円球状のクリック部突起２３を設けた。【選択図】　　　　図１
2004146204.tif 000002
【特許請求の範囲】
【請求項１】
摺動する操作部材の摺動停止両端位置でクリックするクリック部材を備えた電子機器において、クリック部材を導電性部材とすると共に、導電性ケーシング板金にクリック部材が係止する係止部を設け、前記クリック部材に前記ケーシング板金と常時接触する突起を設けたことを特徴とする電子機器の静電対策構造。
【発明の詳細な説明】
【０００１】
【発明の属する技術分野】
本発明は、電子機器の静電対策構造に関する。
【０００２】
【従来の技術】
電子機器の操作ボタンやダイアル等の操作部材は、金属メッキや金属蒸着処理がなされ、外観や品質を高めているのが一般的で、導電性を有するように形成されている。このような操作部材には静電気が蓄積され、蓄積された静電気の放電により、電子機器が静電破壊を起こす懸念がある。
【０００３】
このような静電破壊の問題を解決するために、外装ケースがアルミニウムなどの導電性を有する材料によって形成されているカメラ等の電子機器では、外装ケースの表面を被覆している絶縁被膜の一部を削り取るとか、又は、導電性材料を付加する等の手段により絶縁皮膜の一部を欠除させて放電面を形成し、この放電面から外装ケースに静電気を逃がすようにした技術がある。この技術は、静電気が沿面距離の近い部分に沿面放電すると言う特性を利用する技術で、電子機器の内部の電子回路の沿面距離より近い距離にある外装ケースの一部に放電すべき沿面を設け、外装ケースに沿面放電させるものである。（例えば、特許文献１参照。）。
【０００４】
同様の考え方で静電シートを操作部材に近接させて配置し、操作部材から静電気がスイッチに伝達する前に操作部材から静電シートに沿面放電させるようにした技術がある。このような技術を図３、図４に示した。図４は操作部材の縦断面図、図３は図４のその底面側から見た斜視図である。図４に示すように、操作部材の摺動両端の位置に安定的に停止させるためにクリックバーが設けられ、クリックバーの先端には、クリックする２位置で係止する位置決め部材が設けられている。この位置決め部材はケーシング等の板金に接していない。従って、摺動部材のつまみ等に発生する静電気を確実に放電させることは期し難い。
【０００５】
そこで、クリックバーの近傍にケーシング等の板金と接触している静電シートを配設し、静電シートに広い沿面放電面を形成させておき、静電気がつまみ等に蓄積されないうちに放電させ、静電気による電気部品や制御系統に障害が生ずるのを防止するようにしている。この静電シートは導電性を有する薄膜等で形成されたものである。
【０００６】
これらの静電シート等の部品は、カメラの形状の小型化指向に逆行するものであり、また余分な部品を必要とするものである。
【０００７】
【特許文献１】
特開２０００−３２３２９５号公報（第２−３頁、図１）
【０００８】
【発明が解決しようとする課題】
本発明はこのような従来の技術に対して、放電の確実性がより高く、余分な部品を用いない、電子機器の静電対策構造を提供することを目的とする。
【０００９】
【課題を解決するための手段】
本発明は、上記問題点を解決するためになされたもので、次の技術手段を講じたことを特徴とする電子機器の静電対策構造である。すなわち、本発明は、摺動する操作部材の摺動停止両端位置でクリックするクリック部材を備えた電子機器において、クリック部材を導電性部材とすると共に、導電性ケーシング板金にクリック部材が係止する係止部を設け、前記クリック部材に前記ケーシング板金と常時接触する突起を設けたことを特徴とする電子機器の静電対策構造である。
【００１０】
本発明では、操作部材に導電性のクリック部材を設け、このクリック部材の突起がクリック位置でケーシング板金に接触するのはもちろんのことであるが、クリック位置のみではなく、常時、ケーシングの板金に接触するようにした。このため操作部材はクリック部材を介して、常時、接地されていることとなる。従って、操作部材に静電気が蓄積されることがなく、静電気による障害を完全になくすることができる。
【００１１】
【発明の実施の形態】
以下図面を参照して本発明の実施の形態を説明する。まず、従来技術について図３、図４を参照して説明する。操作部材の例として操作スイッチ１０が示されており、図４はその縦断面図、図３は図４の底面側から斜めに見た斜視図である。操作スイッチ１０は、表面が金属めっき又は金属蒸着されている。図４に示すように、操作スイッチ１０のノブ１１は、ケーシング４０の開口部４１を貫通して設けられている。このノブ１１を矢印１６で示すように、図の左右に摺動移動させることによって、操作スイッチ１０の操作片１２が回路基板３０に装着しているスイッチ２０のレバー２１に接触してこれを左右に動かし、スイッチ２０を開閉する。
【００１２】
操作スイッチ１０の摺動両端の位置で、操作スイッチ１０のノブ１１を安定的に停止させておくために、操作スイッチ１０のノブ１１にクリックバー１３が取付けられ、クリックバー１３の先端には、クリックする２位置で係止する位置決め部１４が設けられている。この位置決め部１４はクリック係止部１５の２位置に係止する。このクリック係止部１５は、従来、導電性ケーシング板金５０等に接していない。従って、操作スイッチ２０のノブ１１やつまみ等に発生する静電気を放電させることは期し難い。
【００１３】
そこで、従来は図３に示すように、クリックバー１３の近傍に静電シート３０を配設していた。静電シート３０は、ケーシング板金５０と接触しており、ノブ１１に対して広い沿面放電面を形成している。操作スイッチ１０のノブ１１に蓄積された静電気をノブの移動時に静電シート３０に沿面放電させることによって、ノブ１１に静電気が過度に蓄積されないうちに放電させることができる。このようにして、静電気によって電子機器の電気部品や制御系統に障害与えるのを防止している。この静電シート３０は導電性を有する薄膜等によって形成されたもので、部品点数が増加することが避けられない。
【００１４】
図２は本発明の実施例の電子機器の静電対策構造を示す断面図、図１は、図２を天地転倒してその下方から見た斜視図であって、本発明の説明図である。図３、４と同様に、摺動移動する操作スイッチ１０のノブ１１に蓄積する静電気を除去するものである。参照符号１１、１２、１６、２０、２１は図３、４と同一のものを示している。この実施例では、電子機器の静電対策構造として、クリックバー２２を導電性部材とすると共に、その先端部のクリック部２３を半球形状の突起に形成し、導電性ケーシング板金５０にクリックバー２２が係止する係止部（孔）５１、５２を設け、この孔５１、５２にクリック部２３が係止するようにし、また、係止部５１、５２以外の位置でも、クリック部２３がケーシング板金５０と常時接触するようにした。
【００１５】
本発明の対策により、ノブ１１に発生する静電気はクリックバー２２、ケーシング板金５０を通って直ちに放電してしまい、ノブ１１に蓄積されることはない。従って、蓄積された静電気の放電によって電子機器の電気部品や制御系統等に損傷を与えることは全くない。
【００１６】
【発明の効果】
本発明の電子機器の静電対策構造は以上のように構成されているので、操作スイッチのノブに静電気が蓄積されることがなく、静電気によって電子機器に障害が生ずるのを完全に排除することができる。また、静電シートなどの部品を削除することができ、工数削減とコストダウンに寄与するという効果を奏する。
【図面の簡単な説明】
【図１】実施例の斜視図である。
【図２】実施例の縦断面図である。
【図３】従来例の斜視図である。
【図４】従来例の縦断面図である。
【符号の説明】
１０　　操作スイッチ（操作部材）
１１　　ノブ
１２　　操作片
１３　　クリックバー
１４　　位置決め部材
１５　　クリック係止部
１６　　矢印
２０　　スイッチ
２１　　レバー
２２　　クリックバー
２３　　突起（クリック部）
３０　　静電シート
４０　　ケーシング
４１　　開口部
５０　　導電性ケーシング板金
５１、５２　　係止部（孔）
【図１】
2004146204.tif 000003
【図２】
2004146204.tif 000004
【図３】
2004146204.tif 000005
【図４】
2004146204.tif 000006